(57)【要約】【課題】侵入者が検知された場合に、正規ユーザーであっても画像形成装置の機能を利用できなくなる不都合が解消されるため、従来よりも利便性の高い画像形成装置が実現される。【解決手段】侵入者を検知する侵入者検知部と、前記侵入者検知部を動作させて侵入者を検知する侵入者検知モードを実施する侵入者検知モード実施部と、ユーザー認証を行うユーザー認証部と、印刷データの印刷指示を受け付けるジョブ受付部と、前記印刷データの印刷を行う印刷部とを備え、前記侵入者検知モード実施部が前記侵入者検知モードの実施中に前記ジョブ受付部が印刷データの印刷指示を受け付けた場合、前記ユーザー認証部はユーザー認証を行い、正規ユーザーの認証の受付後、前記印刷部が前記印刷データの印刷を行うことを特徴とする画像形成装置。【選択図】図５
2019155654.tif 000002
【特許請求の範囲】
【請求項１】
侵入者を検知する侵入者検知部と、
前記侵入者検知部を動作させて侵入者を検知する侵入者検知モードを実施する侵入者検知モード実施部と、
ユーザー認証を行うユーザー認証部と、
印刷データの印刷指示を受け付けるジョブ受付部と、
前記印刷データの印刷を行う印刷部とを備え、
前記侵入者検知モード実施部が前記侵入者検知モードの実施中に前記ジョブ受付部が印刷データの印刷指示を受け付けた場合、前記ユーザー認証部はユーザー認証を行い、正規ユーザーの認証の受付後、前記印刷部が前記印刷データの印刷を行うことを特徴とする画像形成装置。
【請求項２】
前記ユーザー認証部がユーザー認証を開始した後、予め定められた猶予時間内に予め定められたパスワードが入力された場合、前記印刷部が前記印刷データの印刷を行う請求項１に記載の画像形成装置。
【請求項３】
侵入者の検知を通報する通報部をさらに備え、
前記猶予時間内に前記パスワードが入力されなかった場合、前記ジョブ受付部は、前記印刷データの印刷指示の受付を中止し、前記通報部は、侵入者を検知しても通報しない請求項２に記載の画像形成装置。
【請求項４】
侵入者の検知を通報する通報部をさらに備え、
前記侵入者検知部が前記侵入者検知モードの実施中に侵入者を検知した場合、前記ユーザー認証部はユーザー認証を行い、前記ユーザー認証部がユーザー認証を開始した後、予め定められた猶予時間内に予め定められたパスワードが入力された場合、前記通報部は、侵入者を検知しても通報しない請求項１に記載の画像形成装置。
【請求項５】
前記猶予時間内に前記パスワードが入力されなかった場合、前記通報部は、侵入者の検知を通報する請求項４に記載の画像形成装置。
【請求項６】
データを記憶する記憶部と、
ユーザーからの指令を受け付ける操作部とをさらに備え、
前記侵入者検知モード実施部が前記侵入者検知モードの実施中に前記ジョブ受付部が予め定められた機密保持ジョブに係る印刷データの印刷指示を受け付けた場合、前記記憶部は前記印刷データを記憶し、前記侵入者検知モード実施部が侵入者の検知を停止した後、前記操作部から前記印刷データを印刷させるべき指令を前記操作部が受け付けた場合、前記印刷部は前記印刷データの印刷を行う請求項１〜５のいずれか１つに記載の画像形成装置。
【請求項７】
外部機器と通信を行う通信部をさらに備え、
前記機密保持ジョブは、前記通信部が前記外部機器から受信した印刷データの印刷に係るジョブを含む請求項６に記載の画像形成装置。
【発明の詳細な説明】
【技術分野】
【０００１】
この発明は、画像形成装置に関する。
【背景技術】
【０００２】
一般に、複合機の電力状態として、通常動作モードのほかに省電力モードを有するものが多い。
このような省電力モードを有する複合機において、通常モードと省電力モードを自動で切り替えるために、人体感知センサ（または人感センサ）等の人体検知装置やカメラ等の撮像装置を備え、人体を検知した場合に省電力モードから通常動作モードに復帰する、といった利用が従来よりなされている。
【０００３】
一方、これら複合機に備え付けられた人体検知装置・撮像装置を防犯システムに利用して、複合機に侵入者検知機能を導入する試みもなされている。
このような侵入者検知機能としては、例えば、侵入者検知モード中に人感センサが侵入者を検知すると、侵入者として通報したり、警告音を再生したりする機能などがあげられる。
【０００４】
従来、このような侵入者検知機能を有する複合機の発明としては、人体を検出するセンサを備え、ネットワークを介して制御装置へ接続される複合機であって、センサによって人体を検知した場合に、検出結果を制御装置へ通知する手段を有することを特徴とする複合機の発明が開示されている（例えば、特許文献１参照）。
また、定められた監視領域を撮像する撮像手段と、画像形成装置を駆動するために必要な電力よりも低い電力が供給された状態で人を検知する人検知手段と、前記人検知手段が人を検知した場合に前記撮像手段に対して定められた監視領域を撮像するのに必要な電力量を伝送する第１の待機モードと、前記撮像手段に対して前記人検知手段の出力に拘わらず前記定められた監視領域を撮像するのに必要な電力量を伝送する第２の待機モードとを選択可能に切り替える切替手段とを有する画像形成装置の発明が開示されている（例えば、特許文献２参照）。
【先行技術文献】
【特許文献】
【０００５】
【特許文献１】特開２００７−７９６９２号公報
【特許文献２】特開２０１５−１３３０２８号公報
【発明の概要】
【発明が解決しようとする課題】
【０００６】
これら従来の画像形成装置において、人体検知された場合、画像形成装置の機能を利用可能にすると、侵入者が印刷済みの用紙を持ち去ってしまうおそれがあるため、画像形成装置の機能を利用不可にするものが多い。
【０００７】
しかしながら、侵入者検知モードが有効になる時間帯においても正規ユーザーが画像形成装置の機能を利用しようとする可能性も考えられ、このような場合においても、一律に画像形成装置の機能を利用不可にすると、正規ユーザーが印刷済みの用紙を回収できなくなる不都合が生じ、かえって利便性が損なわれるおそれがある。
一方、通常時と同じく画像形成装置を利用可能にすれば、セキュリティの観点から問題がある。
【０００８】
この発明は、以上のような事情を考慮してなされたものであって、人体検知された場合に、正規ユーザーであっても画像形成装置の機能を利用できなくなる不都合を解消することにより、従来よりも利便性の高い画像形成装置を提供するものである。
【課題を解決するための手段】
【０００９】
（１）この発明による画像形成装置は、侵入者を検知する侵入者検知部と、前記侵入者検知部を動作させて侵入者を検知する侵入者検知モードを実施する侵入者検知モード実施部と、ユーザー認証を行うユーザー認証部と、印刷データの印刷指示を受け付けるジョブ受付部と、前記印刷データの印刷を行う印刷部とを備え、前記侵入者検知モード実施部が前記侵入者検知モードの実施中に前記ジョブ受付部が印刷データの印刷指示を受け付けた場合、前記ユーザー認証部はユーザー認証を行い、正規ユーザーの認証の受付後、前記印刷部が前記印刷データの印刷を行うことを特徴とする。
【００１０】
この発明において、「画像形成装置」は、トナーによる像形成に電子写真方式を用いるプリンタなどの複写（コピー機能）機能を有する複写機や複写以外の機能をも含むＭＦＰ（Multifunction Peripheral：多機能周辺装置）など、画像を形成して出力する装置である。
「侵入者検知部」は、例えば、人体感知センサ（または人感センサ）等の人体検知装置やカメラ等の撮像装置により、侵入者を検知する部分である。
【発明の効果】
【００１１】
この発明によれば、侵入者が検知された場合に、正規ユーザーであっても画像形成装置の機能を利用できなくなる不都合が解消されるため、従来よりも利便性の高い画像形成装置が実現される。
【００１２】
さらに、この発明の好ましい態様について説明する。
（２）前記ユーザー認証部がユーザー認証を開始した後、予め定められた猶予時間内に予め定められたパスワードが入力された場合、前記印刷部が前記印刷データの印刷を行うものであってもよい。
【００１３】
このようにすれば、猶予時間内に所定のパスワードが入力された場合、印刷が開始されるため、侵入者が検知された場合に、正規ユーザーも画像形成装置の機能を利用できなくなる不都合が解消され、従来よりも利便性の高い画像形成装置が実現される。
【００１４】
（３）侵入者の検知を通報する通報部をさらに備え、前記猶予時間内に前記パスワードが入力されなかった場合、前記ジョブ受付部は、前記印刷データの印刷指示の受付を中止し、前記通報部は、侵入者を検知しても通報しないものであってもよい。
【００１５】
このようにすれば、猶予時間内に所定のパスワードが入力されなかった場合、印刷データの印刷指示の受付が中止され、侵入者を検知しても通報しないため、正規ユーザーも画像形成装置の機能を利用できなくなる不都合が解消され、従来よりも利便性の高い画像形成装置が実現される。
【００１６】
（４）侵入者の検知を通報する通報部をさらに備え、前記侵入者検知部が前記侵入者検知モードの実施中に侵入者を検知した場合、前記ユーザー認証部はユーザー認証を行い、前記ユーザー認証部がユーザー認証を開始した後、予め定められた猶予時間内に予め定められたパスワードが入力された場合、前記通報部は、侵入者を検知しても通報しないものであってもよい。
【００１７】
このようにすれば、侵入者検知部が侵入者を検知した場合、ユーザー認証が行われ、猶予時間内に所定のパスワードが入力された場合、侵入者を検知しても通報しないため、正規ユーザーも画像形成装置の機能を利用できなくなる不都合が解消され、従来よりも利便性の高い画像形成装置が実現される。
【００１８】
（５）前記猶予時間内に前記パスワードが入力されなかった場合、前記通報部は、侵入者の検知を通報するものであってもよい。
【００１９】
このようにすれば、猶予時間内に所定のパスワードが入力されなかった場合、侵入者の検知が通報されるため、セキュリティの観点から安全性が高く、従来よりも利便性の高い画像形成装置が実現される。
【００２０】
（６）データを記憶する記憶部と、ユーザーからの指令を受け付ける操作部とをさらに備え、前記侵入者検知モード実施部が前記侵入者検知モードの実施中に前記ジョブ受付部が予め定められた機密保持ジョブに係る印刷データの印刷指示を受け付けた場合、前記記憶部は前記印刷データを記憶し、前記侵入者検知モード実施部が侵入者の検知を停止した後、前記操作部から前記印刷データを印刷させるべき指令を前記操作部が受け付けた場合、前記印刷部は前記印刷データの印刷を行うものであってもよい。
【００２１】
このようにすれば、機密保持ジョブに係る印刷データの印刷指示を受け付けた場合、前記印刷データが記憶部に記憶され、侵入者検知モードの実施停止後に前記印刷データが印刷できるため、正規ユーザーも画像形成装置の機能を利用できなくなる不都合が解消され、従来よりも利便性の高い画像形成装置が実現される。
【００２２】
（７）外部機器と通信を行う通信部をさらに備え、前記機密保持ジョブは、前記通信部が前記外部機器から受信した印刷データの印刷に係るジョブを含むものであってもよい。
【００２３】
このようにすれば、外部機器から受信した印刷データの印刷指示を受け付けた場合、前記印刷データが記憶部に記憶され、侵入者検知モードの実施停止後に前記印刷データが印刷できるため、正規ユーザーも画像形成装置の機能を利用できなくなる不都合が解消され、従来よりも利便性の高い画像形成装置が実現される。
【図面の簡単な説明】
【００２４】
【図１】この発明の画像形成装置の一実施形態であるデジタル複合機の外観を示す斜視図である。
【図２】図１に示すデジタル複合機の平面図である。
【図３】図１のデジタル複合機のパネルユニットを示す説明図である。
【図４】図１のデジタル複合機の概略構成を示すブロック図である。
【図５】図１のデジタル複合機の侵入者検知処理の流れを示すフローチャートである。
【図６】図１のデジタル複合機の侵入者検知処理の流れを示すフローチャートである。
【図７】図１のデジタル複合機の侵入者検知モード時の機能制限の設定画面の一例を示す説明図である。
【図８】図１のデジタル複合機の侵入者検知モードの有効・無効設定画面の一例を示す説明図である。
【図９】図１のデジタル複合機の侵入者検知モードスケジュール設定画面の一例を示す説明図である。
【図１０】図１のデジタル複合機の侵入者検知モード時の表示画面の一例を示す説明図である。
【図１１】図１のデジタル複合機の侵入者検知モード時に人体感知センサが熱源を検知した場合の表示画面の一例を示す説明図である。
【図１２】図１のデジタル複合機の侵入者検知モード時に人体感知センサが熱源を検知した場合の表示画面の一例を示す説明図である。
【図１３】デジタル複合機の侵入者検知モード時の機能制限の設定画面の一例を示す説明図である。
【図１４】この発明の実施形態３に係るデジタル複合機の侵入者検知処理の流れを示す図５対応図である。
【図１５】この発明の実施形態３に係るデジタル複合機の侵入者検知処理の流れを示すフローチャートである。
【図１６】この発明の実施形態３に係るデジタル複合機の侵入者検知処理の流れを示すフローチャートである。
【図１７】この発明の実施形態４に係るデジタル複合機の侵入者検知処理の流れを示す図５対応図である。
【図１８】この発明の実施形態４に係るデジタル複合機の侵入者検知処理の流れを示す図６対応図である。
【図１９】この発明の実施形態４に係るデジタル複合機の侵入者検知処理の流れを示すフローチャートである。
【発明を実施するための形態】
【００２５】
以下、図面を用いてこの発明をさらに詳述する。なお、以下の説明は、すべての点で例示であって、この発明を限定するものと解されるべきではない。
【００２６】
〔実施形態１〕
次に、図１〜図４に基づき、この発明の画像形成装置の一実施形態であるデジタル複合機１について説明する。
図１は、この発明の画像形成装置の一実施形態であるデジタル複合機１の外観を示す斜視図である。図２は、図１に示すデジタル複合機１の平面図である。図３は、図１の画像形成装置のパネルユニット１７を示す説明図である。図４は、図１のデジタル複合機の概略構成を示すブロック図である。
【００２７】
デジタル複合機１は、画像データをデジタル処理し、複写機能やスキャナ機能、ファクシミリ機能を有する複合機やＭＦＰ（Multifunction Peripheral：多機能周辺装置）などの装置である。
【００２８】
図１および図２に示すように、デジタル複合機１は、パネルユニット１７と、パネルユニット１７の前部に人体感知センサ２０とを備える。
また、図３に示すように、パネルユニット１７は、表示操作部１７１および物理操作部１７２を備える。
【００２９】
続いて、図４に基づき、デジタル複合機１の概略構成を簡単に説明しておく。
図４に示すように、デジタル複合機１は、制御部１０、画像データ取得部１１、画像形成部１２、記憶部１３、画像処理部１４、通信部１５、給紙部１６、パネルユニット１７、タイマー１８、通報部１９および人体感知センサ２０を備える。
以下、デジタル複合機１の各構成要素を説明する。
【００３０】
制御部１０は、デジタル複合機１を統合的に制御するものであって、ＣＰＵ、ＲＡＭ、ＲＯＭ、各種のインターフェース回路等からなる。
制御部１０は、デジタル複合機１全体の動作をコントロールするために、各センサの検知、モーター、クラッチ、パネルユニット１７等、あらゆる負荷の監視・制御を行う。
【００３１】
画像データ取得部１１は、原稿台に置かれた原稿や原稿トレイから搬送されてきた原稿を検知して読み取り、画像データを生成する部分である。また、外部の情報処理装置（不図示）またはファクシミリ装置（不図示）等で生成された画像データを取得する部分である。
なお、画像データを外部の情報処理装置等から取得する場合、有線または無線ネットワークを経由して画像データを取得するものであっても、またはＵＳＢ等に記録された画像データを取得するものであってもよく、また、これらを組み合わせたものであってもよい。
【００３２】
画像形成部１２は、画像データ取得部１１によって取得され、画像処理部１４によって処理された画像データを用紙上に印刷出力する部分であり、ＬＳＵ１２１を備える。
ＬＳＵ１２１は、デジタル信号からなる画像データの情報に対応するレーザー光を帯電状態にある感光体ドラムの表面に照射して、静電潜像を形成する装置である。
【００３３】
記憶部１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００３４】
画像処理部１４は、画像データ取得部によって読み取られた原稿画像を適正な電気信号に変換して画像データを生成し、画像データ取得部１１から入力された画像データを表示操作部１７１からの指令に従い、拡大・縮小等の出力に適するように処理を行う部分である。
【００３５】
通信部１５は、ネットワーク３等を介して、外部の画像形成装置２やコンピュータ、携帯情報端末、情報処理装置、ファクシミリ装置等との通信をおこない、メールやＦＡＸなどの種々の情報をこれら外部の画像形成装置２等と送受信する部分である。
【００３６】
給紙部１６は、給紙カセット、手差トレイに格納された用紙を画像形成部１２まで搬送する部分である。
【００３７】
パネルユニット１７は、液晶ディスプレイ（Liquid Crystal Display）を備えたユニットであり、表示操作部１７１および物理操作部１７２を備える。
【００３８】
表示操作部１７１は、各種情報の表示を行う部分である。表示操作部１７１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示操作部１７１を通じて、デジタル複合機１の動作および状態の表示を行う。
【００３９】
また、表示操作部１７１は、タッチパネルを備え、ユーザーからの指令を受け付ける部分でもある。
【００４０】
タイマー１８は、時間を計測してカウントする部分であり、例えば、内蔵時計やネットワーク３を通じて時刻を取得する。
【００４１】
通報部１９は、例えば、スピーカー等の音声発生装置にブザー音やメッセージ等の音声を発生させることによって、警告やメッセージ等を周囲に報知する部分である。
また、通報部１９は、ネットワークを通じて外部のサーバーにアラートメールを送信したり、警備会社に連絡したりするものであってもよい。
管理者は、アラートメールの送信先となるメールアドレスや警備会社への連絡先を予め登録しておく。
【００４２】
人体感知センサ２０は、予め定められた範囲内にある侵入者を検知するセンサである。
人体感知センサ２０として、例えば、侵入者の動作により生じた赤外線の変化量を検出する焦電素子を備えた焦電型赤外線センサなどが用いられる。
また、カメラ等の撮像装置により取得した画像を解析することで侵入者を検知するものであってもよい。この場合、所定時間間隔で予め定められた範囲を撮像し、撮像した複数のフレーム間で画像の変化の有無を検出して、画像に変化があった場合、侵入者を発見したものとして、侵入者の検知をおこなう。
【００４３】
図２において、扇形状の領域ＡＲは人体感知センサ２０が侵入者を検知する領域を示している。ユーザーが領域ＡＲ内に入ると人体感知センサ２０がユーザーを検知する。
人体感知センサ２０は、対象物が予め定められた範囲（例えば、０ｍ〜５ｍ）内に存在する場合に出力し、その出力レベルは対象物との距離に応じて変動する。
【００４４】
以上がデジタル複合機１の構成の概要である。
【００４５】
＜本願発明の実施形態１に係る侵入者検知処理の流れ＞
次に、図５〜図１２に基づき、本願発明の実施形態１に係る侵入者検知処理の流れについて説明する。
図５および図６は、図１のデジタル複合機１の侵入者検知処理の流れを示すフローチャートである。また、図７は、デジタル複合機１の侵入者検知モード時の機能制限の設定画面の一例を示す説明図である。また、図８は、図１のデジタル複合機１の侵入者検知モードの有効・無効設定画面の一例を示す説明図である。また、図９は、図１のデジタル複合機１の侵入者検知モードスケジュール設定画面の一例を示す説明図である。図１０は、図１のデジタル複合機１の侵入者検知モード時の表示画面の一例を示す説明図である。図１１および図１２は、図１のデジタル複合機１の侵入者検知モード時に人体感知センサ２０が熱源を検知した場合の表示画面の一例を示す説明図である。
【００４６】
図５のステップＳ１において、制御部１０は、予め定められた侵入者検知モードの終了条件が満たされたか否かを判定する（ステップＳ１）。
侵入者検知モードの終了条件としては、例えば、予め定められた侵入者検知モード無効化時刻になった場合などがあげられる。
【００４７】
侵入者検知モードの終了条件が満たされた場合（ステップＳ１の判定がＹｅｓの場合）、制御部１０は、ステップＳ２において、侵入者検知モードを終了する（ステップＳ２）。
【００４８】
一方、侵入者検知モードの終了条件が満たされていない場合（ステップＳ１の判定がＮｏの場合）、制御部１０は、ステップＳ３において、人体感知センサ２０が侵入者を検知したか否かを判定する（ステップＳ３）。
【００４９】
人体感知センサ２０が侵入者を検知した場合（ステップＳ３の判定がＹｅｓの場合）、制御部１０は、図６のステップＳ１２の処理を行う（図６のステップＳ１２）。
【００５０】
一方、人体感知センサ２０が侵入者を検知していない場合（ステップＳ３の判定がＮｏの場合）、制御部１０は、ステップＳ４において、デジタル複合機１にジョブが投入されたか否かを判定する（ステップＳ４）。
【００５１】
デジタル複合機１にジョブが投入されていない場合（ステップＳ４の判定がＮｏの場合）、制御部１０は、ステップＳ１の判定を繰り返す（ステップＳ１）。
【００５２】
デジタル複合機１にジョブが投入された場合（ステップＳ４の判定がＹｅｓの場合）、制御部１０は、ステップＳ５において、侵入者検知モード中のジョブ実施許可設定を確認する（ステップＳ５）。
【００５３】
図７に示すように、管理者であるユーザーは予めデジタル複合機１の侵入者検知モード時の機能制限の設定を行う。
【００５４】
「侵入者検知モード中の場合、複合機の操作を原則として禁止し、コピー・プリント・スキャン等のジョブの実施を禁止する」にチェックが入った場合、デジタル複合機１の侵入者検知モード時の機能が完全に制限される。
【００５５】
また、「侵入者検知モード中の場合も、複合機の操作を通常通り許可し、コピー・プリント・スキャン等のジョブの実施を許可する」にチェックが入った場合、デジタル複合機１の侵入者検知モード時の機能が完全に許可される。
【００５６】
従来は、デジタル複合機１の侵入者検知モード時の機能を完全に制限するか、または許可するかのいずれかしかなかった。
【００５７】
一方、本願発明では、「侵入者検知モード中の場合、制限つきで複合機の操作を通常通り許可し、コピー・プリント・スキャン等のジョブの実施を許可する」にチェックが入った場合、デジタル複合機１の侵入者検知モード時の機能が制限つきで許可される。
【００５８】
また、図７に示すように、表示操作部１７１は、チェックが入ったオプションの説明を表示してもよい。
図７の例では、「現在の設定の場合、侵入者検知モード中もコピー・プリント・スキャン等を実施できますが、事前のパスワード認証が必要になる・プリントがリテンションとなる等、セキュリティ強度の高い設定に自動的に変更されます。」と表示されている。
【００５９】
また、図８に示すように、管理者であるユーザーは、デジタル複合機１の侵入者検知モードの有効・無効設定を行う。
「侵入者検知モードを有効にする」にチェックが入った場合、侵入者検知モードが有効となる。
【００６０】
また、図８に示すように、表示操作部１７１は、「チェックを有効にすると侵入者検知モードを有効とし、複合機の人感センサに検知があった場合、通報や警告音の再生を実施します」という説明を表示してもよい。
【００６１】
また、図９に示すように、管理者であるユーザーは、デジタル複合機１の侵入者検知モードのスケジュール設定を行うようにしてもよい。
「スケジュール機能を有効にする」にチェックが入った場合、侵入者検知モードのスケジュール機能が有効となる。
【００６２】
図９の例において、侵入者検知モード有効化時刻が「毎日２２：００」に設定されており、侵入者検知モード無効化時刻が「毎日０７：３０」に設定されている。
【００６３】
また、図９に示すように、表示操作部１７１は、「スケジュール機能を有効にすると、侵入者検知モードの有効・無効が予め設定された日時に自動で切り替わります」という説明を表示してもよい。
【００６４】
図５のステップＳ５において、侵入者検知モード中のジョブ実施が許可されていない場合（ステップＳ５の判定が不許可の場合）、制御部１０は、ステップＳ６において、ジョブを中止する（ステップＳ６）。
その後、制御部１０は、ステップＳ１の判定を繰り返す（ステップＳ１）。
【００６５】
一方、侵入者検知モード中のジョブ実施が許可されている場合（ステップＳ５の判定が許可の場合）、制御部１０は、ステップＳ７において、通常時とは異なる制御を行うジョブであるか否かを判定する（ステップＳ７）。
【００６６】
通常時とは異なる制御を行うジョブである場合（ステップＳ７の判定がＹｅｓの場合）、制御部１０は、ステップＳ９において、侵入者検知モード時の予め定められた制御でジョブを実行する（ステップＳ９）。
その後、制御部１０は、ステップＳ１の判定を繰り返す（ステップＳ１）。
【００６７】
図１０に、侵入者検知モードが有効のときに、ＦＡＸを受信した場合の表示操作部１７１の表示画面の一例を示す。
【００６８】
侵入者検知モード時において、通信部１５がＦＡＸを受信した場合、制御部１０は、ＦＡＸの印刷を実行させずに、ＦＡＸデータを記憶部１３に記憶させる。
【００６９】
このとき、図１０に示すように、表示操作部１７１には、「ＦＡＸを受信したためメモリに保存しました」と表示される。
また、表示操作部１７１は、「侵入者検知モード中のため、受信したＦＡＸは自動では印刷されません。ＦＡＸの印刷を実施する場合はメモリ保存ジョブ一覧ページから印刷してください」の説明とともに、「メモリ保存ジョブ一覧ページへ移動」アイコンを表示させる。
【００７０】
ユーザーは、「メモリ保存ジョブ一覧ページへ移動」アイコンをクリックして、メモリ保存ジョブ一覧ページから所望のジョブを選択して実行させることができる。
【００７１】
一方、図５において、通常時とは異なる制御を行うジョブでない場合（ステップＳ７の判定がＮｏの場合）、制御部１０は、ステップＳ８において、通常どおりジョブを実行する（ステップＳ８）。
その後、制御部１０は、ステップＳ１の判定を繰り返す（ステップＳ１）。
【００７２】
また、ステップＳ５において、パスワードの認証設定が有効の場合、制御部１０は、ステップＳ１０において、認証パスワードが入力されるのを待つ（ステップＳ１０）。
【００７３】
このとき、図１１に示すように、表示操作部１７１は、「複合機にジョブが投入されました」と表示させる。
また、「複合機を操作する場合は、認証パスワードを入力してください。」という説明とともに、認証パスワードの入力欄および認証アイコンを表示して、ユーザーに認証パスワードの入力を促す。
【００７４】
続いて、認証パスワードが入力されると、制御部１０は、ステップＳ１１において、正しい認証パスワードが入力されたか否かを判定する（ステップＳ１１）。
正しい認証パスワードが入力された場合（ステップＳ１１の判定がＹｅｓの場合）、制御部１０は、ステップＳ７の判定を行う（ステップＳ７）。
一方、正しい認証パスワードが入力されなかった場合（ステップＳ１１の判定がＮｏの場合）、制御部１０は、ステップＳ６の処理を行う（ステップＳ６）。
【００７５】
次に、図６のステップＳ１２において、制御部１０は、通報中止パスワードの入力を促す表示を表示操作部１７１に表示させる。また、通報中止パスワードの入力猶予時間のカウントダウンをタイマー１８に開始させる（ステップＳ１２）。
【００７６】
このとき、図１２に示すように、表示操作部１７１は、「人感センサが熱源を検知しました」と表示させる。
また、「あなたが正規のユーザーである場合は、１分以内に通報中止パスワードを入力してください。※通報中止パスワードが入力されない場合、通報や警告音の再生が実施されます」という説明とともに、通報中止パスワードの入力欄および認証アイコンを表示して、ユーザーに通報中止パスワードの入力を促す。
【００７７】
次に、ステップＳ１３において、制御部１０は、通報中止パスワード入力猶予時間が経過したか否かを判定する（ステップＳ１３）。
通報中止パスワード入力猶予時間が経過した場合（ステップＳ１３の判定がＹｅｓの場合）、制御部１０は、ステップＳ１４において、通報部１９に通報を実施させる（ステップＳ１４）。
その後、制御部１０は、ステップＳ１の判定を繰り返す（ステップＳ１）。
【００７８】
一方、通報中止パスワード入力猶予時間が経過していない場合（ステップＳ１３の判定がＮｏの場合）、制御部１０は、ステップＳ１５において、表示操作部１７１から正しい通報中止パスワードが入力されたか否かを判定する（ステップＳ１５）。
【００７９】
表示操作部１７１から正しい通報中止パスワードが入力された場合（ステップＳ１５の判定がＹｅｓの場合）、制御部１０は、ステップＳ１６において、通報部１９に通報を中止させる（ステップＳ１６）。
一方、表示操作部１７１から正しい通報中止パスワードが入力されていない場合（ステップＳ１５の判定がＮｏの場合）、制御部１０は、ステップＳ１３の判定を繰り返す（ステップＳ１３）。
【００８０】
正規ユーザーは、図１２に示すように、入力猶予時間中に表示操作部１７１に表示された入力欄に通報中止パスワードを入力した上で認証アイコンを押すことにより、通報の実施を解除することができる。
【００８１】
このように、侵入者検知モード中であっても、所定の操作を行うことにより、ジョブを実行できるため、正規ユーザーがデジタル複合機１の機能を利用できなくなる不都合が解消され、従来よりも利便性の高いデジタル複合機１が実現される。
【００８２】
〔実施形態２〕
次に、図１３に基づき、この発明の実施形態２に係る侵入者検知モード時の機能制限の設定について説明する。
図１３は、デジタル複合機１の侵入者検知モード時の機能制限の設定画面の一例を示す説明図である。
【００８３】
実施形態１では、侵入者検知モード時の機能制限の設定について、「侵入者検知モード中の場合、制限つきで複合機の操作を通常通り許可し、コピー・プリント・スキャン等のジョブの実施を許可する」にチェックが入った場合、デジタル複合機１の侵入者検知モード時の機能が制限つきで許可された。
【００８４】
一方、実施形態２においては、図１３に示すように、「侵入者検知モード中の場合、複合機の操作およびジョブの実施を下記のように制限する」として、機能制限の設定が細かく行えるようにする。
【００８５】
図１３の例においては、「プリントジョブの実行」として、「全てのユーザーに許可」する場合と、「認証されたユーザーのみ許可」する場合を選択できるようにしている。
【００８６】
また、「リテンション扱いとする」にチェックを入れることで、侵入者検知モード中に受信したプリントジョブがすぐに実行されずに、一時的にメモリに保存されるリテンション機能が有効となる。
【００８７】
また、「受信ＦＡＸデータの印刷」において、「即時印刷」にチェックが入った場合、侵入者検知モード中に受信したＦＡＸデータがすぐに印刷される。
一方、「メモリホールド」にチェックが入った場合は、侵入者検知モード中に受信したＦＡＸデータをメモリに保存するメモリホールド機能が有効となる。
【００８８】
なお、メモリに保存されたデータは、ユーザーが手動で印刷操作を実施するまでホールドされるが、侵入者検知モードの終了時刻に自動で印刷するようにしてもよい。
【００８９】
また、「スキャン済みデータの表示」において、「禁止」にチェックが入った場合、スキャン済みデータが表示されなくなる。
一方、「認証されたユーザーのみ許可」にチェックが入った場合、認証されたユーザーにのみ、スキャン済みデータが表示される。
【００９０】
このように、侵入者検知モード時の機能制限の設定において、機能制限の設定が細かく行えるようにすることで、正規ユーザーがデジタル複合機１の機能を利用できなくなる不都合が解消され、従来よりも利便性の高いデジタル複合機１が実現される。
【００９１】
〔実施形態３〕
次に、図１４〜図１６に基づき、この発明の実施形態３に係るデジタル複合機の侵入者検知処理の流れについて説明する。
図１４は、この発明の実施形態３に係るデジタル複合機の侵入者検知処理の流れを示す図５対応図である。また、図１５および図１６は、この発明の実施形態３に係るデジタル複合機の侵入者検知処理の流れを示すフローチャートである。
【００９２】
図１４のステップＳ１０１〜Ｓ１０６，Ｓ１１０およびＳ１１１はそれぞれ、図５のステップＳ１〜Ｓ６，Ｓ１０およびＳ１１に対応するため、詳細な説明を省略する。
【００９３】
実施形態３において、図１４に示すように、制御部１０は、ステップＳ１０５またはステップＳ１１１において、ジョブの実行が可能になった場合（ステップＳ１０５またはＳ１１１）、図１５に示すように、ジョブの種類に応じて異なる処理を行う。
【００９４】
具体的には、図１５のステップＳ１２１において、制御部１０は、当該ジョブがＦＡＸデータの印刷ジョブか否かを判定する（ステップＳ１２１）。
ＦＡＸデータの印刷ジョブである場合（ステップＳ１２１の判定がＹｅｓの場合）、制御部１０は、ステップＳ１２２において、当該ＦＡＸデータを印刷せずにメモリにホールドする（ステップＳ１２２）。
【００９５】
このように、ＦＡＸデータを印刷した場合は、ユーザーによって用紙がすぐに回収されないこともあるため、メモリにホールドしておく。
その後、制御部１０は、図１６のステップＳ１２６の判定を行う（ステップＳ１２６）。
【００９６】
一方、ＦＡＸデータの印刷ジョブでない場合（ステップＳ１２１の判定がＮｏの場合）、制御部１０は、ステップＳ１２３において、当該ジョブがデジタル複合機１から予め定められた範囲内（例えば、数十ｍの範囲内）のＰＣ等から受信したジョブか否かを判定する（ステップＳ１２３）。
【００９７】
予め定められた範囲内のＰＣ等から受信したジョブである場合（ステップＳ１２３の判定がＹｅｓの場合）、制御部１０は、ステップＳ１２４において、通常通りジョブを実行する（ステップＳ１２４）。
【００９８】
このように、デジタル複合機１の近傍のＰＣから受信したプリントデータを印刷した場合は、ユーザーによって用紙がすぐに回収される可能性が高いため、メモリにホールドせずに印刷を実行する。
【００９９】
一方、予め定められた範囲内のＰＣ等から受信したジョブでない場合（ステップＳ１２３の判定がＮｏの場合）、制御部１０は、ステップＳ１２５において、侵入者検知モード時の予め定められた制御でジョブを実行する（ステップＳ１２５）。
その後、制御部１０は、ステップＳ１０１の判定を繰り返す（ステップＳ１０１）。
【０１００】
次に、図１６のステップＳ１２６において、制御部１０は、表示操作部１７１を通じてユーザーからホールドデータの要求操作があったか否かを判定する（ステップＳ１２６）。
【０１０１】
ここで、ホールドデータの要求としては、例えば、プリントデータの印刷要求やスキャン画像データの参照要求などがあげられる。
【０１０２】
ホールドデータの要求操作があった場合（ステップＳ１２６の判定がＹｅｓの場合）、制御部１０は、ステップＳ１２７において、当該要求がプリントデータの印刷要求か否かを判定する（ステップＳ１２７）。
一方、ホールドデータの要求操作がなかった場合（ステップＳ１２６の判定がＮｏの場合）、制御部１０は、ステップＳ１２８において、当該ホールドデータの要求を実行する（ステップＳ１２８）。
【０１０３】
次に、ステップＳ１２７において、制御部１０は、当該要求がプリントデータの印刷要求であるか否かを判定する（ステップＳ１２７）。
当該要求がプリントデータの印刷要求である場合（ステップＳ１２７の判定がＹｅｓの場合）、制御部１０は、ステップＳ１２８において、当該プリントデータの要求を実行して印刷処理を行う（ステップＳ１２８）。
一方、当該要求がプリントデータの印刷要求でない場合（ステップＳ１２７の判定がＮｏの場合）、制御部１０は、ステップＳ１２９において、当該要求がスキャン画像データの参照要求であるか否かを判定する（ステップＳ１２９）。
【０１０４】
当該要求がスキャン画像データの参照要求である場合（ステップＳ１２９の判定がＹｅｓの場合）、制御部１０は、ステップＳ１３０において、パスワード認証を要求する（ステップＳ１３０）。
その後、制御部１０は、ステップＳ１３１の判定を行う（ステップＳ１３１）。
【０１０５】
一方、当該要求がスキャン画像データの参照要求でないお場合（ステップＳ１２９の判定がＮｏの場合）、制御部１０は、ステップＳ１２８の処理を行う（ステップＳ１２８）。
【０１０６】
次に、ステップＳ１３１において、制御部１０は、正しい認証パスワードが入力されたか否かを判定する（ステップＳ１３１）。
正しい認証パスワードが入力された場合（ステップＳ１３１の判定がＹｅｓの場合）、制御部１０は、ステップＳ１２８において、当該スキャン画像データの参照要求を実行する（ステップＳ１２８）。
一方、正しい認証パスワードが入力されなかった場合（ステップＳ１３１の判定がＮｏの場合）、制御部１０は、ステップＳ１３２において、当該スキャン画像データの参照要求を実行せず（ステップＳ１３２）、ステップＳ１０１の判定を繰り返す（ステップＳ１０１）。
【０１０７】
このように、侵入者検知モード時において、プリントデータの印刷には、パスワード認証を要求しない一方で、デジタル複合機１内のストレージデバイスに保存されたスキャン画像等の参照には、パスワード認証を要求するようにしてもよい。
【０１０８】
このようにすれば、侵入者検知モード時にジョブの種類に応じて異なる処理を行うことで、従来よりも利便性の高いデジタル複合機１が実現される。
【０１０９】
〔実施形態４〕
次に、図１７〜図１９に基づき、この発明の実施形態４に係るデジタル複合機の侵入者検知処理の流れについて説明する。
図１７は、この発明の実施形態４に係るデジタル複合機の侵入者検知処理の流れを示す図５対応図である。また、図１８は、この発明の実施形態４に係るデジタル複合機の侵入者検知処理の流れを示す図６対応図である。また、図１８は、この発明の実施形態４に係るデジタル複合機の侵入者検知処理の流れを示すフローチャートである。
【０１１０】
図１７のステップＳ２０１〜Ｓ２１１はそれぞれ、図５のステップＳ１〜Ｓ１１に対応し、また、図１８のステップＳ２１２〜Ｓ２１６はそれぞれ、図６のステップＳ１２〜Ｓ１６に対応するため、詳細な説明を省略する。
【０１１１】
実施形態１において、大量のデータを印刷中にデジタル複合機１の前まで様子を見に来た正規ユーザーが検知され、通報中止パスワードの入力を促す表示が表示操作部１７１に表示されたとき、ユーザーが表示に気づかない場合もある。
【０１１２】
そこで、実施形態４においては、印刷を伴うジョブの実施中に侵入者が検知された場合は、印刷中は通報せずに保留し、印刷完了後に通報中止パスワードの入力を要求し、印刷完了後一定時間まで通報中止パスワードの入力を受け付けるようにしてもよい。
【０１１３】
具体的には、図１７に示すように、制御部１０は、ステップＳ２０８またはＳ２０９においてジョブを実行した後（ステップＳ２０８またはＳ２０９）、図１８のステップＳ２２１において、当該ジョブの実行中に人体感知センサ２０が侵入者を検知したか否かを判定する（ステップＳ２２１）。
【０１１４】
当該ジョブの実行中に人体感知センサ２０が侵入者を検知した場合（ステップＳ２２１の判定がＹｅｓの場合）、制御部１０は、ステップＳ２２２において、当該ジョブがプリントデータの印刷ジョブであるか否かを判定する（ステップＳ２２２）。
一方、当該ジョブの実行中に人体感知センサ２０が侵入者を検知していない場合（ステップＳ２２１の判定がＮｏの場合）、制御部１０は、ステップＳ２０１の判定を繰り返す（ステップＳ２０１）。
【０１１５】
ステップＳ２２２において、当該ジョブがプリントデータの印刷ジョブである場合（ステップＳ２２２の判定がＹｅｓの場合）、制御部１０は、ステップＳ２２３において、当該データの印刷完了まで通報部１９に通報を保留させる（ステップＳ２２３）。
その後、制御部１０は、ステップＳ２１２の判定を繰り返す（ステップＳ２１２）。
【０１１６】
一方、ステップＳ２２２において、当該ジョブがプリントデータの印刷ジョブでない場合（ステップＳ２２２の判定がＮｏの場合）、制御部１０は、ステップＳ２０１の判定を繰り返す（ステップＳ２０１）。
【０１１７】
このようにすれば、大量のデータを印刷中にデジタル複合機１の前まで様子を見に来た正規ユーザーが通報中止パスワードの入力を促す表示を見落とすおそれがなくなり、従来よりも利便性の高いデジタル複合機１が実現される。
【０１１８】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１１９】
１：デジタル複合機、    ２：画像形成装置、    ３：ネットワーク、    １０：制御部、    １１：画像データ取得部、    １２：画像形成部、    １３：記憶部、    １４：画像処理部、    １５：通信部、    １６：給紙部、    １７：パネルユニット、    １８：タイマー、    １９：通報部、    ２０：人体感知センサ、    １２１：ＬＳＵ、    １７１：表示操作部、    １７２：物理操作部、    ＡＲ：領域
【図１】
2019155654.tif 000003
【図２】
2019155654.tif 000004
【図３】
2019155654.tif 000005
【図４】
2019155654.tif 000006
【図５】
2019155654.tif 000007
【図６】
2019155654.tif 000008
【図７】
2019155654.tif 000009
【図８】
2019155654.tif 000010
【図９】
2019155654.tif 000011
【図１０】
2019155654.tif 000012
【図１１】
2019155654.tif 000013
【図１２】
2019155654.tif 000014
【図１３】
2019155654.tif 000015
【図１４】
2019155654.tif 000016
【図１５】
2019155654.tif 000017
【図１６】
2019155654.tif 000018
【図１７】
2019155654.tif 000019
【図１８】
2019155654.tif 000020
【図１９】
2019155654.tif 000021